(57)【要約】【課題】複数の計算機を１つの入力デバイスで制御可能とする通信方式を提供する。【解決手段】従来技術での複数の端末を同時にリモコン制御できない問題に対して、本発明では計算機を識別する機能を備え、複数の計算機に対するＯＳの操作を入力デバイスによる遠隔制御を行い、複数の計算機に対し、同一の操作を行うことでユーザ操作を容易にする。計算機を識別する機能は混信する問題も解決する。例えばパソコン教室やサーバ室などに複数の計算機が存在する場合、これらの計算機の操作を特定のソフトウェアやキーボードなどを使用せずに入力デバイスにより操作する。また、計算機がラックキャビネットに搭載している場合において、ラックのドアの開閉を行わずに制御することにより、ユーザは迅速なメンテナンスを行うことができる。【選択図】  図３
2004357083.tif 000002
【特許請求の範囲】
【請求項１】
計算機にリモートコントロールを行うための赤外線又は電波通信による無線通信装置（入力デバイス）において、外部からの信号を受け取ることにより、装置の制御を行うことができる複数の計算機に対して、計算機を識別し、必要な複数又は単数の計算機を同時に制御することができる入力デバイス。
【請求項２】
計算機の状態をユーザが入力デバイスを操作することにより認識する手段を有し、電源ＯＦＦ状態の複数の計算機に対して、入力デバイスから一度の操作により、ＯＳの起動する手段を有する情報システム。
【請求項３】
計算機の電源ＯＮ状態において、入力デバイスから送信されるデータは計算機上で動作しているＯＳ（オペレーティングシステム）の各オペレーション及び、計算機本体に付属するスイッチ類の操作を可能にし、一度の操作により、指定された複数の計算機に対し命令する手段を有する情報システム。
【発明の詳細な説明】
【０００１】
【発明の属する技術分野】
この発明は計算機及びそれを制御する信号を送信する入力デバイスに関し、複数の計算機に対して、計算機を識別し、必要な装置に対し信号を送信できるシステムに関する。
【０００２】
【従来の技術】
受光部を持つ情報機器として例えばリモコン（リモートコントローラの略）機能付きテレビがある。テレビにおけるリモコン操作は単数又は複数のテレビの操作を可能にする。
【０００３】
計算機において、計算機の本体と赤外線通信を行う入力デバイスも存在する。例えば、キーボードやマウスの接続を赤外線などワイヤレスによる、コードレス化を意図した入力デバイスの場合、１対１の通信にのみ適用される。
【０００４】
複数の計算機において、ＯＳの起動・終了・特定のアプリケーションソフトの起動などのオペレーションを行いたい場合、計算機に接続されているキーボード・マウスなどの入力デバイスにより操作を行う必要がある。計算機がネットワーク接続されている場合、リモートのホスト端末から計算機の操作を行うことが出来るソフトウェアも存在する。
【０００５】
【特許文献】
なし
【０００６】
【発明が解決しようとする課題】
上述したテレビの操作の場合、テレビのリモコンは同一機種の複数のテレビを意図的に指定することは難しく、例えば学習リモコンなどによる切替の場合、複数のテレビのリモコン操作は異なる機種のテレビに限定される。
【０００７】
コードレスキーボードなど無線通信手段を使用したワイヤレス入力デバイスの場合、複数の計算機に対し、一つの入力デバイスで操作することを想定していない。そのため、至近距離にある複数の計算機に対し、複数のコードレスキーボードで接続する場合は混信しないよう細心の注意が必要となる。
【０００８】
リモートのホスト端末から計算機の操作を行う場合、ネットワークに接続していることが条件となる。
【０００９】
計算機に搭載されている釦の押下は実際に装置に触れる必要がある。例えばラックキャビネットに計算機が収容されている場合はラックのドアを開けて操作する必要がある。
【００１０】
それゆえに、本発明の目的は、複数の計算機を１つの入力デバイスで制御できる手段の提供と、ネットワーク接続など環境に頼らないＯＳ制御手段を提供することが課題となる。
【００１１】
【課題を解決するための手段】
請求項１にかかる入力デバイスに関し、特定の複数の装置を制御するためには、装置側に装置固有のＩＤを持ち、入力デバイス側はそのＩＤを取得する手段を持ち、さらにそのＩＤは入力デバイスの表示装置に出力され、その情報に関し、ユーザが装置を識別できるような文字列を登録している場合においてはＩＤから登録している文字列に変換することができ、複数の装置が検出された場合、ユーザは入力デバイスを用いて操作を行う装置を選択することができ、特定の装置に対してデータ送信することにより装置を制御可能にする。
【００１２】
ユーザが複数の装置を選択しデータ送信する場合は装置ごとに決められているＩＤを含んだデータを選択した装置の数分送信する。
【００１３】
したがって、ユーザは入力デバイスの検索釦を押下することのみの操作により、電源ＯＮ状態又はサスペンド状態の装置から情報を入手することができ、その情報を元に特定の装置を操作することが可能となる。
【００１４】
これらの動作を実現するためには、入力デバイス側に検索釦、検索結果を表示させるための表示装置、検索結果を選択するためのカーソルキー及び決定キー・キャンセルキー、装置側に指示を出すためのキー、送信キーを持つ。また、装置側は入力デバイスから送信されたデータを解析し、記憶部より装置情報を読み出し、入力デバイス側へデータを返送し、ユーザの指示によっては、ＯＳへ操作指示を行う手段を持つ。
【００１５】
請求項２にかかる情報システムに関し、計算機がサスペンド状態においても入力デバイスからの信号受信を待つ状態にあり、信号を受け取ると、計算機の起動を従来の計算機の電源スイッチ押下した時と同様な振る舞いを行う仕組みを持つ。
【００１６】
請求項３ではＯＳを操作するための手段として従来技術であるキーボード・マウス又はイーサネット（登録商標）接続によるネットワーク環境からのリモート操作などに頼らず、入力デバイスによりユーザからの操作・命令を装置に伝える手段を持つ。ＯＳのコントロールは入力デバイス側にあらかじめ登録されており、登録された信号を装置に対し送信し、計算機側はＯＳ上に入力デバイスからのデータ受信を監視する常駐プロセスが存在し、送信データを検出すると、常駐プロセスがアプリケーションソフトの起動・終了などの操作指示を出す。
【００１７】
【発明の実施の形態】
以下、この発明の実施の形態について説明する。
【００１８】
図１は本発明での実施の形態で使用される構成図である。入力デバイスは液晶モニタ（１０２）、前後・左右選択釦（１０４）、アプリケーション起動・終了、ＯＳの起動・終了状態を入力する釦（１０５）、検索釦（１０３）、赤外線通信装置（５１Ａ）を備える。計算機側は電源スイッチ（２０１）、リセットスイッチなど各種スイッチ類の釦（２０２）、赤外線通信装置（５１Ｂ）を備え、赤外線通信装置（５１Ｂ）は入力デバイスの赤外線通信装置（５１Ａ）と情報の送受信を行う。
【００１９】
図２はこの発明でのシステム機能構成図である。入力デバイスの機能構成として、表示部（１０２）は図１での液晶モニタと同一であり、図１での選択釦（１０３）、前後・左右選択釦（１０４）、操作釦（１０５）は図２の機能構成図ではデータ入力部（１１３）に相当する。
【００２０】
表示部（１０２）は送受信結果の表示、計算機の識別情報の表示を行う。データ送受信部（５２Ａ）は赤外線受発光部（５１Ａ）からのデータを送受信するインタフェースを持つ。制御部（１１０）は入力デバイス内の表示部、データ送受信部、データ処理部、データ入力部、データ記憶部の制御を行う。データ処理部は受信データを解析し、必要に応じてデータ記憶部に保存する機能を有する。また、データ処理部は表示部に対し、文字列データの表示を行う機能も有する。
【００２１】
図２の計算機側に関して、入力デバイスからのデータを受け取り解析するデータ制御部（２１７）と一般の計算機の機能である制御装置（２１５）、入出力装置と同義である入出力ポート（２１２）、演算装置（２１３）、記憶装置（２１４）で構成される。データ通信部（２１７）内の処理は赤外線受発光部で信号を受信すると、データ送受信部（５２Ｂ）が制御部を介し、データ処理部で解析される。データ処理部はデータ記憶部にデータの照合を行う。照合結果はデータ送受信部を介し、入力デバイスへ送信される。ＯＳを起動する場合は、データ処理部から計算機の制御装置（２１５）へＯＳ起動命令を出す仕組みを備える。ＯＳの終了・アプリケーションの起動処理は制御装置（２１５）を介し、ＯＳに常駐しているプログラムに通知する。
【００２２】
図３は入力デバイスが計算機を検索したときのシーケンス図である。ユーザは入力デバイスの検索ボタン（１０３）を押すと、検索信号を送信する。計算機側は検索信号を受信すると、各計算機に登録されているＩＤを入力デバイスに送信する。入力デバイス側がＩＤを受信すると、計算機に対し、ＡＣＫ信号を送信する。計算機側はＡＣＫ信号を受信するまで、入力デバイスに対し、ＩＤを送信する。入力デバイスは受け取った計算機を表示モニタ（１０２）に表示する。ＩＤ検索時、計算機側から受け取る信号はＩＤの他に、コンピュータ名・ＩＰアドレスなど利用者が計算機を識別するための情報を含み、入力デバイスはその情報を表示モニタに表示することができる。検索後、ユーザは表示モニタに表示されている情報を元に、前後・左右選択釦（１０４）を使用して制御したい計算機を選択し、操作釦（１０５）を押すことにより、指定された計算機に対し計算機のＩＤを含んだ信号を送出する。
【００２３】
計算機動作時において、ＯＳは常に入力デバイスからのデータの受信を待つ状態にあり、データを受信するとＯＳに対して、ＯＳのシャットダウンやアプリケーションソフトの起動処理などを行う。計算機が動作していない時も入力デバイスからの信号を待つ。
【００２４】
【発明の効果】
以上詳記したように、従来技術での複数の端末を同時にリモコン制御できない問題に対して、本発明では計算機を識別する機能を備え、複数の計算機に対するＯＳの操作を入力デバイスによる遠隔制御を行うことができる効果があり、複数の計算機に対し、同一の操作を行うことでユーザ操作を容易にすることができる。計算機を識別する機能は混信する問題も解決する。
【００２５】
例えばパソコン教室やサーバ室などに複数の計算機が存在する場合、これらの計算機の操作を特定のソフトウェアやキーボードなどを使用せずに入力デバイスにより操作を可能にする。また、計算機がラックキャビネットに搭載している場合において、ラックのドアの開閉を行わずに制御可能となり、ユーザは迅速なメンテナンスを行うことができる。
【図面の簡単な説明】
【図１】この発明に適用されるシステム構成図。
【図２】この発明で使用されるシステムの機能構成図。
【図３】計算機を検索する時のシーケンス図。
【符号の説明】
１…入力デバイス、２…計算機、５１Ａ  ５１Ｂ…赤外線受発光部、１０２…液晶モニタ（表示部）、１０３…選択釦、１０４  前後…左右選択釦、１０５…操作釦、２０１…電源釦、２０２…各種スイッチ類、１１０…制御部、１１１…データ処理部、１１２…データ記憶部、１１３…データ入力部、２１０…データ処理部、２１１…データ記憶部、２１２…入出力ポート、２１３…演算装置、２１４…記憶装置、２１５…制御装置、２１６…制御部。
【図１】
2004357083.tif 000003
【図２】
2004357083.tif 000004
【図３】
2004357083.tif 000005